(57)【要約】【課題】特定のチケットの発券作業を効率良く行う。【解決手段】ショートカット記憶部が特定の発券頻度が高い口座が割り当てられた４つのショートカット情報を記憶している。表示制御部が、各ショートカット情報に対応するショートカットボタン４７を発券業務画面４０に表示させる。取扱者が発券業務画面４０に表示されているショートカットボタン４７のいずれかを選択したときに、当該ショートカットボタン４７に対応するショートカット情報に割り当てられた口座に関するチケットを発券機が発券する。【選択図】図５
2007094617.tif 000002
【特許請求の範囲】
【請求項１】
複数の記録内容を各記録内容が属する種類に関連付けて記憶する記録内容記憶手段と、
特定の前記記録内容が割り当てられた一又は複数の短縮内容を記憶する短縮内容記憶手段と、
表示手段と、
使用者が複数の前記記録内容のいずれかを選択するときに、前記表示手段に、前記記録内容を前記記録内容の種類毎に切り替え可能に表示させると共に一又は複数の前記短縮内容を常に表示させる表示制御手段と、
前記使用者が前記表示手段に表示された前記記録内容及び前記短縮内容のいずれかを選択するために用いられる選択手段と、
被記録媒体に情報を記録する発券手段と、
前記選択手段によって前記記録内容及び前記短縮内容のいずれかが選択されたとき、前記発券手段に、選択された前記記録内容又は前記短縮内容に割り当てられた前記記録内容に基づいて被記録媒体に情報を記録させる発券制御手段とを備えていることを特徴とする発券装置。
【請求項２】
前記使用者を特定する特定手段をさらに有しており、
前記短縮内容記憶手段が、前記使用者毎に前記短縮内容を記憶しており、
前記表示制御手段が、使用者が複数の前記記録内容のいずれかを選択するときに、前記表示手段に、前記特定手段によって特定された前記使用者に対応する前記短縮内容を表示させることを特徴とする請求項１又は２に記載の発券装置。
【請求項３】
前記短縮内容記憶手段に記憶されている前記短縮内容が書き換え可能であることを特徴とする請求項１又は２に記載の発券装置。
【請求項４】
複数の記録内容を各記録内容が属する種類に関連付けて記憶する記録内容記憶手段、特定の前記記録内容が割り当てられた一又は複数の短縮内容を記憶する短縮内容記憶手段、表示手段、前記使用者が前記表示手段に表示された前記記録内容及び前記短縮内容のいずれかを選択するために用いられる選択手段、及び、被記録媒体に情報を記録する発券手段とを備えている発券装置の制御方法であって、
使用者が複数の前記記録内容のいずれかを選択するときに、前記表示手段に、前記記録内容を前記記録内容の種類毎に切り替えつつ表示させると共に一又は複数の前記短縮内容を常に表示させるステップと、
前記選択手段によって前記記録内容及び前記短縮内容のいずれかが選択されたとき、前記発券手段に、選択された前記記録内容又は前記短縮内容に割り当てられた前記記録内容に基づいて被記録媒体に情報を記録させるステップとを備えていることを特徴とする発券装置の制御方法。
【発明の詳細な説明】
【技術分野】
【０００１】
本発明は、情報が記録された被記録媒体を発券する発券装置及び発券装置の制御方法に関する。
【背景技術】
【０００２】
列車やコンサートなどのチケットを発券する発券装置がある。これらのチケットは種類が多岐に亘るため、発券装置における発券作業が複雑になりやすい。例えば、列車のチケットを発券する場合には、使用路線、乗車駅、降車駅、チケットの内容（乗車券、指定券など）などの条件を確定する必要がある。そこで、所望のチケットの種類を確定するための条件を画面の未確定エリアに表示させ、未確定エリアに表示された条件が確定される毎に、確定した条件を確定エリアに移動させていく技術が知られている（特許文献１参照）。これにより、所望のチケットの条件を間違えることなく確実に確定することができる。
【０００３】
【特許文献１】特開２００２−１８３７６６号公報（図３）
【発明の開示】
【発明が解決しようとする課題】
【０００４】
チケット発券業務においては、特定のチケットのみが多く発券されることがある。上述した技術では、特定のチケットを発券する毎に、当該チケットの種類を確定する作業が必要となり、発券作業が繁雑なものとなる。
【０００５】
そこで、本発明の主たる目的は、特定の発券作業を効率良く行うことができる発券装置及び発券装置の制御方法を提供することである。
【課題を解決するための手段及び効果】
【０００６】
本発明の発券装置は、複数の記録内容を各記録内容が属する種類に関連付けて記憶する記録内容記憶手段と、特定の前記記録内容が割り当てられた一又は複数の短縮内容を記憶する短縮内容記憶手段とを備えている。さらに、表示手段と、使用者が複数の前記記録内容のいずれかを選択するときに、前記表示手段に、前記記録内容を前記記録内容の種類毎に切り替え可能に表示させると共に一又は複数の前記短縮内容を常に表示させる表示制御手段と、前記使用者が前記表示手段に表示された前記記録内容及び前記短縮内容のいずれかを選択するために用いられる選択手段とを備えている。また、被記録媒体に情報を記録する発券手段と、前記選択手段によって前記記録内容及び前記短縮内容のいずれかが選択されたとき、前記発券手段に、選択された前記記録内容又は前記短縮内容に割り当てられた前記記録内容に基づいて被記録媒体に情報を記録させる発券制御手段とを備えている。
【０００７】
本発明の発券装置の制御方法は、複数の記録内容を各記録内容が属する種類に関連付けて記憶する記録内容記憶手段、特定の前記記録内容が割り当てられた一又は複数の短縮内容を記憶する短縮内容記憶手段、表示手段、前記使用者が前記表示手段に表示された前記記録内容及び前記短縮内容のいずれかを選択するために用いられる選択手段、及び、被記録媒体に情報を記録する発券手段とを備えている発券装置の制御方法である。そして、使用者が複数の前記記録内容のいずれかを選択するときに、前記表示手段に、前記記録内容を前記記録内容の種類毎に切り替えつつ表示させると共に一又は複数の前記短縮内容を常に表示させるステップと、前記選択手段によって前記記録内容及び前記短縮内容のいずれかが選択されたとき、前記発券手段に、選択された前記記録内容又は前記短縮内容に割り当てられた前記記録内容に基づいて被記録媒体に情報を記録させるステップとを備えている。
【０００８】
本発明によると、短縮内容に発券頻度の高い特定の記録内容を割り当てることによって、使用者が、表示手段に表示された記録内容を種類毎に切り替えることなく、短縮内容を選択するだけで発券頻度の高い特定の記録内容に関する情報を被記録媒体に記録させることができる。これにより、発券作業を効率良く行うことができる。
【０００９】
本発明においては、前記使用者を特定する特定手段をさらに有している。前記短縮内容記憶手段が、前記使用者毎に前記短縮内容を記憶している。前記表示制御手段が、使用者が複数の前記記録内容のいずれかを選択するときに、前記表示手段に、前記特定手段によって特定された前記使用者に対応する前記短縮内容を表示させることが好ましい。
【００１０】
これによると、使用者が複数の記録内容のいずれかを選択するときに、表示手段に使用者の好みに合わせた短縮内容を表示させることができる。このため、使用者が異なる場合であっても、他の使用者が登録した短縮内容を誤って選択することがなくなる。
【００１１】
本発明においては、前記短縮内容記憶手段に記憶されている前記短縮内容が書き換え可能であることがより好ましい。これによると、状況に応じて使用頻度の高い特定の記録内容が異なる場合であっても、短縮内容を変更することで対応することができる。
【発明を実施するための最良の形態】
【００１２】
以下、本発明の好適な実施の形態について、図面を参照しつつ説明する。なお、本実施の形態は、駅のチケット販売窓口などで、客の要望に応じて駅員（使用者：取扱者）が所望のチケットを発券するために用いられる発券装置に本発明を適用した一例である。図１は、発券装置の概略構成図である。図２は、発券装置１の機能ブロック図である。図１及び図２に示すように、発券装置１は、列車の乗車券、回数券、定期券などのチケットを発券可能なものである。また、発券装置１は、タッチパネルディスプレイ３と、発券機４と、現金処理機５と、プリンタ６と、制御装置７とを有している。タッチパネルディスプレイ３は、液晶モニタ（表示部）と液晶モニタの表面に設置されたタッチパネル（選択部）とが一体化したものである。取扱者は、タッチパネルディスプレイ３の液晶モニタに表示された表示内容に従って液晶モニタの表示画面上に指又は専用のタッチペンなどを接触させることによって、指示内容を入力することができる。発券機４は、チケットを生成するものである。具体的には、発券機４は、磁気により所望の情報が記録される被記録媒体を有しており、制御装置７からの指示に基づいて、所望のチケットに関する情報を磁気により被記録媒体に記録すると共に被記録媒体の表面に当該チケットの内容を印刷してチケットを生成する。生成されたチケットは発券口４ａから外部に排出される。現金処理機５は、チケット購入時に現金の入出金処理を行うものである。プリンタ６は、領収書などの各種書類を発行するためのものである。制御装置７は発券装置１全体を制御するものである。
【００１３】
制御装置７は、取扱者特定部２０と、口座記憶部（記録内容記憶部）２１と、ショートカット記憶部（短縮内容記憶部）２２と、表示制御部２３と、発券制御部２４とを有している。取扱者特定部２０は、取扱者が入力した取扱者コードに基づいて取扱者を特定すると共に取扱者コードを登録するものである（図４参照）。口座記憶部２１は、発券装置１が発券する各チケットの情報、例えば、出発駅、到着駅、料金などを、各チケットの券種（種類：乗車券、回数券、往復券、定期券）に対応させて口座として記憶するものである。ショートカット記憶部２２は、口座記憶部２１に記憶されている口座のうち発券頻度の高い口座が割り当てられたショートカット情報を記憶するものである。また、ショートカット記憶部２２においては、取扱者コード毎にショートカット情報が記憶されている。これらショートカット情報の内容は書き換え可能となっている。なお、本実施の形態においては、ショートカット記憶部２２に「Ｘ駅からＡ駅までの乗車券」「Ｘ駅からＤ駅までの乗車券」「Ｘ駅からＡ駅までの往復券」「Ｘ駅からＬ駅までの回数券」の口座が割り当てられた４つのショートカット情報が記憶されている（図５参照）。表示制御部２３は、タッチパネルディスプレイ３に表示される内容を制御するものである。発券制御部は、取扱者が選択した口座に関するチケットが発券されるように発券機４を制御するものである。
【００１４】
次に、発券装置１の制御方法について図３を参照しつつ説明する。図３は、発券装置１の制御方法を示すフローチャートである。図３に示すように、発券装置１が起動されると、ステップＳ１０１に移行し、表示制御部２３が、タッチパネルディスプレイ３に取扱者登録画面を表示させる。取扱者登録画面について図４を参照しつつ説明する。図４は、取扱者登録画面の一例を示した図である。図４に示すように、取扱者登録画面３０は、上端に配置されたタイトルエリア３１と、下端に配置されたメッセージエリア３２と、タイトルエリア３１とメッセージエリア３２との間に配置された操作エリア３３とを有している。タイトルエリア３１には、当画面のタイトル「取扱者登録」と、「発駅名」と、「取扱者コード」と、日付及び時間とが表示されている。なお、ここで表示されている「発駅名」の内容は、図示しない他の登録画面において登録及び変更が可能となっている。また、「取扱者コード」の内容は、本画面で登録された取扱者コードの内容が反映されるようになっている。メッセージエリア３２には、取扱者コード登録の際の操作内容を指示するメッセージ、異常を知らせるメッセージなどが表示される。操作エリア３３は、取扱者が情報を入力するためのものであり、取扱者コード入力フィールド３３ａと、取扱者コード入力ボタン３３ｂと、決定ボタン３３ｃと、終了ボタン３３ｄと、テンキー３３ｅとが表示されている。
【００１５】
取扱者は、「取扱者コード」の内容が自身に割り当てられた取扱者コードと異なるときは、テンキー３３ｅを操作して、自身に割り当てられた取扱者コードを取扱者コード入力フィールド３３ａに入力し、さらに取扱者コード入力ボタン３３ｂを押して取扱者コードを決定する。取扱者コードが決定されると、取扱者特定部２０が決定された取扱者コードに基づいて取扱者を特定すると共に取扱者コードを登録する。登録された取扱者コードはタイトルエリアの３１の「取扱者コード」の内容に表示される。そして、取扱者は、取扱者コードが登録されたことを確認した後に決定ボタン３３ｃを押して取扱者登録画面３０を終了させる。また、取扱者は、「取扱者コード」の内容が自身に割り当てられた取扱者コードであるときは、そのまま終了ボタン３３ｄを押して取扱者登録画面３０を終了させる。
【００１６】
図３に戻って、取扱者登録画面３０が終了すると、ステップＳ１０２に移行し、表示制御部２３が、タッチパネルディスプレイ３に発券業務画面を表示させる。発券業務画面について図５を参照しつつ説明する。図５は、発券業務画面の一例を示した図である。図５に示すように、発券業務画面４０は、上端に配置されたタイトルエリア４１と、下端に配置されたメッセージエリア４２と、タイトルエリア４１とメッセージエリア４２との間に配置された操作エリア４３とを有している。タイトルエリア４１には、当画面のタイトル「発券業務」と、「発駅名」と、「取扱者コード」と、日付及び時間とが表示されている。なお、このとき、取扱者が「取扱者コード」の内容を変更することによって、取扱者コードの登録内容を変更することができる。メッセージエリア４２には、発券業務を行うときの操作内容を指示するメッセージ、異常を知らせるメッセージなどが表示される。操作エリア４３は、取扱者が発券操作を行うためのものであり、８個の機能ボタン４３ａと、券種表示バー４３ｂと、３２個の口座ボタン４３ｃが表示される口座エリア４５と、大人金額表示ボタン４３ｄと、小児金額表示ボタン４３ｅと、前画面ボタン４３ｆと、次画面ボタン４３ｇと、終了ボタン４３ｈとが表示されている。
【００１７】
機能ボタン４３ａは、券種選択ボタン４６又はショートカットボタン４７を任意に割り当てることができる多機能ボタンである。なお、図５においては、左の端から数えて１番目〜４番目までの機能ボタン４３ａに券種選択ボタン４６が割り当てられており、５番目〜８番目までの機能ボタン４３ａにショートカットボタン４７が割り当てられている。券種選択ボタン４６は、口座エリア４５に表示させる口座ボタン４３ｃの券種を選択するためのものであり、各券種選択ボタン４６に口座エリア４５に表示させる口座ボタン４３ｃの券種が割り当てられている。後述するように、口座エリア４５には特定の券種の口座ボタン４３ｃのみが表示されるようになっている。取扱者は、所望の券種が割り当てられた券種選択ボタン４６を選択することによって、口座エリア４５に所望の券種の口座ボタン４３ｃが表示されるように、口座エリア４５の表示内容を切り替えることができる。なお、図５においては、４つの券種選択ボタン４６に「乗車券」、「回数券」、「往復券」及び「定期券」の券種が割り当てられている。このように、口座エリア４５にいずれの券種の口座ボタン４３ｃが表示されているときも、全てのショートカットボタン４７は常に表示されている。つまり、取扱者は発券業務画面４０において常に全てのショートカットボタン４７を選択することができるようになっている。
【００１８】
ショートカットボタン４７は、ショートカット記憶部２２に記憶されたショートカット情報に割り当てられた口座に関する発券作業を行うためのものであり、夫々が１つのショートカット情報に対応している。取扱者は、所望の口座に関するショートカットボタン４７を選択することによって、当該ショートカットボタン４７に対応するショートカット情報に割り当てられた特定の口座に関する発券作業を行うことができる。なお、図５においては、４つのショートカットボタン４７が、「Ｘ駅からＡ駅までの乗車券」「Ｘ駅からＤ駅までの乗車券」「Ｘ駅からＡ駅までの往復券」「Ｘ駅からＬ駅までの回数券」の口座が割り当てられたショートカット情報にそれぞれ対応している。
【００１９】
券種表示バー４３ｂには、口座エリア４５に表示されている口座ボタン４３ｃの券種内容が表示されている。口座ボタン４３ｃは、口座記憶部２１に記憶された各口座に関する発券作業を行うためのものである。券種選択ボタン４６によって選択された券種に係る口座ボタン４３ｃの数が３２個以上あるときは、係る口座ボタン４３ｃを口座エリア４５に一括表示できなくなるため、これらを複数画面に分割して表示することになる。前画面ボタン４３ｆ及び次画面ボタン４３ｇは、これら複数画面を順次切り替えて表示させるためのものである。大人金額表示ボタン４３ｄ及び小児金額表示ボタン４３ｅは、各口座に関するチケットの金額表示を大人金額又は小児金額に切り替えるためのものである。終了ボタン４３ｈは、発券業務画面４０を終了させるためのものである。
【００２０】
図３に戻って、タッチパネルディスプレイ３に発券業務画面４０が表示されると、ステップＳ１０３に移行し、取扱者が発券業務画面４０における「取扱者コード」の内容を変更したか否かを判断する。取扱者が「取扱者コード」の内容を変更したと判断したときは（ステップＳ１０３：ＹＥＳ）、再びステップＳ１０１に移行して、表示制御部２３が、タッチパネルディスプレイ３に取扱者登録画面３０を表示させる。取扱者が「取扱者コード」の内容を変更していないと判断したときは（ステップＳ１０３：ＮＯ）、ステップＳ１０４に移行する。
【００２１】
ステップＳ１０４においては、取扱者が発券業務画面４０における券種選択ボタン４６を選択したか否かを判断する。取扱者が券種選択ボタン４６を選択したと判断したときは（ステップＳ１０４：ＹＥＳ）、ステップＳ１０５に移行し、表示制御部２３が、取扱者が選択した券種選択ボタン４６に割り当てられた券種の口座ボタン４３ｃを口座エリア４５に表示させる。その後、再びステップＳ１０３に移行し、取扱者が「取扱者コード」の内容を変更したか否かを判断する。取扱者が券種選択ボタン４６を選択していないと判断したときは（ステップＳ１０４：ＮＯ）、ステップＳ１０６に移行する。
【００２２】
ステップＳ１０６においては、取扱者が口座エリア４５に表示されている口座ボタン４３ｃを選択したか否かを判断する。取扱者が口座エリア４５に表示されている口座ボタン４３ｃを選択したと判断したときは（ステップＳ１０６：ＹＥＳ）、ステップＳ１０９に移行し、取扱者が選択した口座ボタン４３ｃに割り当てられた口座に関する発券作業を開始する。取扱者が口座エリア４５に表示されている口座ボタン４３ｃを選択していないと判断したときは（ステップＳ１０６：ＮＯ）、ステップＳ１０７に移行し、取扱者がショートカットボタン４７を選択したか否かを判断する。取扱者が、ショートカットボタン４７を選択したと判断したときは（ステップＳ１０７：ＹＥＳ）、ステップＳ１０８に移行し、取扱者が選択したショートカットボタン４７に対応するショートカット情報に割り当てられた口座が選択されたものとする。その後、選択された口座に関する発券作業を開始する。取扱者がショートカットボタン４７を選択していないと判断したときは（ステップＳ１０７：ＮＯ）、再びステップＳ１０３に移行し、取扱者が「取扱者コード」の内容を変更したか否かを判断する。
【００２３】
Ｓ１０９においては、取扱者が選択した口座ボタン４３ｃに割り当てられた口座に関する発券作業を行うため、表示制御部２３が、タッチパネルディスプレイ３に発券処理画面を表示させる。発券処理画面について図６を参照しつつ説明する。図６は、発券処理画面の一例を示した図である。図６に示すように、発券処理画面５０は、上端に配置されたタイトルエリア５１と、下端に配置されたメッセージエリア５２と、タイトルエリア５１とメッセージエリア５２との間に配置された操作エリア５３とを有している。タイトルエリア５１には、当画面のタイトル「発券業務」と、「発駅名」と、「取扱者コード」と、日付及び時間が表示されている。メッセージエリア５２には、発券作業を行うときの操作内容を指示するメッセージ、異常を知らせるメッセージなどが表示される。操作エリア５３は、取扱者が発券作業を行うためのものであり、当該口座に関する「発券券種」、「発券口座」、「大人単価」、及び「小児単価」と、発券するチケットの「発売金額」と、現金処理時における「入金額」及び「おつり」と、発券機４による発券が完了した枚数である「発券完了枚数」とが表示されている。また、発券すべきチケットの大人枚数を入力する大人枚数入力フィールド５３ａ及び発券すべきチケットの小児枚数を入力する小児枚数入力フィールド５３ｂと、テンキー５３ｃと、領収書を発券するための領収書発券ボタン５３ｄと、発券スタートボタン５３ｅと、終了ボタン５３ｆとが表示されている。
【００２４】
図３に戻って、発券処理画面５０が表示されると、ステップＳ１１０に移行し、取扱者が、テンキー５３ａを操作して、大人枚数入力フィールド５３ａ及び小児枚数入力フィールド５３ｂに必要事項を入力してチケットの発売金額を確定し、さらに、現金処理機５に現金を入金した後に発券スタートボタン５３ｃを押して発券の開始を指示する。発券の開始が指示されると、ステップＳ１１１に移行して、発券機４がチケットを発券する。ステップＳ１１１においては、発券制御部２４が、発券処理画面５０において確定されたチケットの情報が被記録媒体に記録されるように発券機４を制御する。このとき、取扱者に発券処理画面５０の領収書発券ボタン５３ｂが押されることによって、当該チケット発券に関する領収書をプリンタ６に印刷させる。
【００２５】
チケットの発券が完了すると、再びステップＳ１０２に移行して、表示制御部２３が、タッチパネルディスプレイ３に発券業務画面４０を表示させる。これにより、取扱者は次の発券業務を行うことができる。
【００２６】
以上説明した本実施の形態によると、表示制御部２３が、発券業務画面４０に、発券頻度の高い特定の口座が割り当てられたショートカット情報に対応するショートカットボタン４７を表示させるため、取扱者が、券種選択ボタン４６を選択することによって所望の口座ボタン４３ｃを発券業務画面４０表示させることなく、ショートカットボタン４７を選択するだけで発券頻度の高い特定の口座に関するチケットを発券することができる。これにより、発券作業を効率良く行うことができる。
【００２７】
また、ショートカット記憶部２２が取扱者コード毎にショートカット情報を記憶し、取扱者特定部２０が取扱者コードによって取扱者を特定し、表示制御部２３が、特定された取扱者に対応するショートカットボタン４７を発券業務画面４０に表示させるため、発券業務画面４０に取扱者の好みに合わせたショートカットボタン４７を表示させることができる。これにより、取扱者が異なる場合であっても、他の取扱者の好みに合わせたショートカットボタン４７を誤って押すことがなくなる。
【００２８】
さらに、ショートカット記憶部２２に記憶されているショートカット情報が書き換え可能となっているため、状況に応じて発券頻度の高い特定の口座が異なる場合であっても、ショートカット情報を変更することで対応することができる。
【００２９】
以上、本発明の好適な一実施の形態について説明したが、本発明はその趣旨を超えない範囲において変更が可能である。即ち、上述の実施の形態においては、ショートカット記憶部２２が取扱者コード毎にショートカット情報を記憶し、取扱者特定部２０が取扱者コードによって取扱者を特定し、表示制御部２３が特定された取扱者に対応するショートカットボタン４７を発券業務画面４０に表示させる構成であるが、取扱者特定部２０を備えることなく、全ての取扱者に対して同じショートカット情報が割り当てられたショートカットボタン４７を発券業務画面に表示させる構成であってもよい。
【００３０】
また、上述の実施の形態においては、ショートカット記憶部２２に記憶されているショートカット情報が書き換え可能となっているが、書き換え可能となっていなくてもよい。
【００３１】
さらに、上述の実施の形態においては、発券装置１が、表示手段と選択手段とが一体化したタッチパネルディスプレイ３を有する構成であるが、表示手段と選択手段とが分離した構成であってもよい。例えば、発券装置が通常の液晶ディスプレイと操作パネルとを有する構成であってもよい。
【００３２】
上述の実施の形態には、列車の乗車券、回数券、定期券を発券する発券装置１に本発明を適用した一例が示されているが、コンサートのチケットや食券など他のチケットを発券する装置にも適用可能である。
【図面の簡単な説明】
【００３３】
【図１】本発明に係る実施の形態である発券装置の概略構成図である。
【図２】図１に示す発券装置の機能ブロック図である。
【図３】図１に示す制御装置７の処理手順を示すフローチャートである。
【図４】図１に示すタッチパネルディスプレイに表示される取扱者登録画面の一例を示した図である。
【図５】図１に示すタッチパネルディスプレイに表示される発券業務画面の一例を示した図である。
【図６】図１に示すタッチパネルディスプレイに表示される発券処理画面の一例を示した図である。
【符号の説明】
【００３４】
１     発券装置
３     タッチパネルディスプレイ
４     発券機
４ａ   発券口
５     現金処理機
６     プリンタ
７     制御装置
２０   取扱者特定部
２１   口座記憶部
２２   ショートカット記憶部
２３   表示制御部
２４   発券制御部
３０   取扱者登録画面
４０   発券業務画面
４５   口座エリア
４６   券種選択ボタン
４７   ショートカットボタン
５０   発券処理画面
【図１】
2007094617.tif 000003
【図２】
2007094617.tif 000004
【図３】
2007094617.tif 000005
【図４】
2007094617.tif 000006
【図５】
2007094617.tif 000007
【図６】
2007094617.tif 000008